(57)【特許請求の範囲】
【請求項１】
入力される指紋データと登録されている指紋データとを照合する指紋照合装置において、
指紋入力部と、
この指紋入力部に置かれた指の指紋データを時系列で繰り返し読み込む指紋データ読込手段と、
この指紋データ読込手段によって読み込まれた複数の指紋データを照合候補指紋データとして記憶する照合候補指紋データ記憶手段と、
それぞれの照合候補指紋データについて所定の規則に基づいて照合順序を定め、この定めた照合順序に従って順次照合候補指紋データを取り出して登録指紋データと照合する指紋照合手段と
を備えたことを特徴とする指紋照合装置。
【発明の詳細な説明】
【０００１】
【発明の属する技術分野】
この発明は、入力される指紋データと登録されている指紋データとを照合する指紋照合装置に関するものである。
【０００２】
【従来の技術】
近年、コンピュータ室や重要機械室への入退室管理、コンピュータ端末や銀行の金融端末へのアクセス管理、マンションの出入管理などの個人認識を必要とする分野において、これまでの暗証番号やＩＤカードに代わって、指紋照合装置が採用されつつある。
【０００３】
この指紋照合装置は、光学式や静電容量式の指紋入力部を備え、入力される指紋データと登録されている指紋データとを照合する。光学式の指紋入力部はプリズムやＣＣＤを構成要素とする。静電容量式の指紋入力部については例えば特開平１１−１９０７０号公報などに示されている。
【０００４】
光学式の指紋入力部を例にとると、利用者は、指紋入力部のプリズム面に指を置く。すると、この指の紋様がＣＣＤ上に写り、指紋画像として読み込まれる。指紋照合装置には前もって本人の指紋画像が登録されている。すなわち、照合時と同様、指紋入力部のプリズム面に指を置き、このときＣＣＤ上に写る指紋画像を読み込ませ、この読み込ませた指紋画像のうち良質のものを登録指紋画像として記憶させている。他の人の指紋画像も登録指紋画像として記憶されている。指紋照合装置は、記憶されている登録指紋画像と取り込んだ指紋画像とを照合し、ドアを解錠するなどの処理を行う。
【０００５】
従来の指紋照合装置における指紋画像の登録処理の一例を図１０に示す。エンターキーを押し（ステップ４０１のＹＥＳ）、指を指紋入力部のプリズム面に置くと、ステップ４０２でこのときの指紋画像が読み込まれる。プリズム面に指を置く動作を細かく見ると、プリズム面に指を軽く置いてから指圧を高めるので、指とプリズム面との接触面積および接触圧は時間が経過するにつれて大きくなる。このため、入力指紋画像の照度Ｓは図１１に示すような曲線を描く。ステップ４０３では読み込んだ指紋画像の照度Ｓを画像評価パラメータとして算出する。入力指紋画像の照度Ｓが予め定められた閾値Ｓｔｈ以上となると（ステップ４０４のＹＥＳ）、このときの入力指紋画像を取り込み、登録指紋画像として保存する（ステップ４０５）。
【０００６】
従来の指紋照合装置における指紋画像の照合処理の一例を図１２に示す。エンターキーを押し（ステップ５０１のＹＥＳ）、指を指紋入力部のプリズム面に置くと、ステップ５０２でこのときの指紋画像が読み込まれる。ステップ５０３では読み込んだ指紋画像の照度Ｓを画像評価パラメータとして算出する。入力指紋画像の照度Ｓが予め定められた閾値Ｓｔｈ以上となると（ステップ５０４のＹＥＳ）、このときの入力指紋画像を取り込み（ステップ５０５）、保存されている登録指紋画像と照合する（ステップ５０６）。照合結果がＯＫであれば解錠許可信号を出力する（ステップ５０７）。照合結果がＮＧであればその旨の表示を行う（ステップ５０８）。
【０００７】
【発明が解決しようとする課題】
指をプリズム面においてから入力指紋画像は時系列で変化する。この入力指紋画像の中で、登録指紋画像としての最適画像は、十分な情報量を備えかつ再現性の高い画像（一般的に、潰れや歪みが生じる一歩手前の画像）である。しかしながら、入力指紋画像の照度Ｓは、図１３に示すように乾燥時や多汗時などによって通常時とはその上昇の仕方が異なる。このため、画像評価パラメータである照度Ｓが閾値Ｓｔｈを越えたときの入力指紋画像は、登録指紋画像として最適な画像であるとは限らない。通常時に最適な画像が取り込まれるものとして閾値Ｓｔｈを定めると、多汗時には最適画像となる前の不十分な指紋画像が取り込まれ、乾燥時には潰れや歪みの生じた指紋画像が取り込まれる。
【０００８】
一方、指をプリズム面においてから時系列で変化する入力指紋画像の中で、照合指紋画像としての最適画像は、保存されている登録指紋画像に最も近い画像である。しかしながら、照度Ｓが閾値Ｓｔｈを越えたときの入力指紋画像は、照合指紋画像として最適な画像であるとは限らない。すなわち、例えば、登録時が多汗時であって図１３に示すｔ２時点の入力指紋画像が登録指紋画像として保存されていた場合、通常時の照合では図１４に示すようにｔ３時点で入力指紋画像が取り込まれるものとなり、取り込まれた入力指紋画像と登録指紋画像との間には大きな差が生じる。すなわち、この方法では、照合指紋画像として最適なものはほとんど取り逃がしていると言える。
【０００９】
このように、従来の技術は、画像評価パラメータが所定の値を超えた時点で１つの照合指紋画像を取り込んでいたので、最適な照合指紋画像は取り逃がしている場合がほとんどであった。このため、どんなに優れた照合アルゴリズムを用いても照合精度が頭打ちになってしまい、照合精度の向上が望めなかった。
【００１０】
本発明はこのような課題を解決するためになされたもので、その目的とするところは、最適な照合指紋画像を取り逃がさないようにし、照合精度をいっそう向上させることのできる指紋照合装置を提供することにある。
【００１１】
【課題を解決するための手段】
このような目的を達成するために本発明は、指紋入力部に置かれた指の指紋データを時系列で繰り返し読み込み、読み込んだ複数の指紋データを照合候補指紋データとしして記憶し、それぞれの照合候補指紋データについて所定の規則に基づいて照合順序を定め、この定めた照合順序に従って順次照合候補指紋データを取り出して登録指紋データと照合するようにしたものである。
この発明によれば、時系列で繰り返し読み込まれる複数の指紋データが照合候補指紋データとして記憶され、それぞれの照合候補指紋データについて所定の規則に基づいて照合順序が定められ、定められた照合順序に従って順次照合候補指紋データが取り出されて登録指紋データと照合される。
例えば、照合候補指紋データをその画像評価パラメータの大きさにより３つのグループに分割し、３つのグループのうち登録指紋データの画像評価パラメータが属するグループを第１候補とし、この第１候補から照合候補指紋データを取り出して登録指紋データと照合する。照合の結果、第１候補中の照合候補指紋データが登録指紋データと一致しなければ、残るグループの１つを第２候補とし、この第２候補から照合候補指紋データを取り出して登録指紋データと照合する。
【００１４】
【発明の実施の形態】
以下、本発明を実施の形態に基づき詳細に説明する。図２はこの発明の一実施の形態を示す指紋照合装置のブロック図である。同図において、１０は操作部、２０はコントロール部であり、操作部１０には番号入力部（テンキー）１０−１，表示部（液晶ディスプレイ）１０−２と共に指紋入力部１０−３が設けられている。指紋入力部１０−３はプリズムやＣＣＤを構成要素とする。
【００１５】
コントロール部２０は、ＣＰＵを有してなる制御部２０−１と、プログラム記憶部（ＲＯＭ）２０−２と、作業用一時記憶部（ＲＡＭ）２０−３と、登録指紋画像記憶部（フラッシュメモリ）２０−４と、出力部２０−５と、画像処理・照合部（ＡＳＩＣ）２０−６と、画像一時記憶部（フレームメモリ）２０−７とを備えており、プログラム記憶部２０−２には登録プログラムと照合プログラムが格納されている。
【００１６】
図３にこの指紋照合装置の外観斜視図を示す。指紋入力部１０−３は指を案内するためのガイド１０−３１を有している。このガイド１０−３１の奥にプリズム面１０−３２がのぞいている。なお、番号入力部１０−１はカバー１０−４で隠されており、キー入力が必要な時にカバー１０−４を開く。また、指紋入力部１０−３の下方に、エンターキー１０−３３が設けられている。
【００１７】
〔指紋の登録〕
この指紋照合装置において利用者の指紋は次のようにして登録する。運用する前に、利用者は、エンターキー１０−３３を押したうえ、指紋入力部１０−３のプリズム面１０−３２の上に指を置く。プリズム面１０−３２に置かれた指紋の紋様はＣＣＤ（図示せず）上に写り、画像処理・照合部２０−６へ送られ、入力指紋画像としてフレームメモリ２０−７に格納される。この入力指紋画像のフレームメモリ２０−７への格納は制御部２０−１の指令によりサイクリックに行われる。
【００１８】
制御部２０−１は、エンターキー１０−３３が押されると（図１に示すステップ１０１）、ｎ＝０としたうえ（ステップ１０２）、プリズム面１０−３２に置かれた指の指紋画像を読み込む（ステップ１０３）。そして、読み込んだ指紋画像の照度Ｓを画像評価パラメータとして算出し（ステップ１０４）、この照度Ｓを予め定められた閾値Ｓｔｈと比較し（ステップ１０５）、Ｓ＜Ｓｔｈであればステップ１０３へ戻り、次の時点の指紋画像を読み込む。
【００１９】
Ｓ≧Ｓｔｈであれば、ｎ＝ｎ＋１としたうえ（ステップ１０６）、このときの指紋画像ＧをＧｎとし、またこの時の指紋画像Ｇの照度ＳをＳｎとし、ＲＡＭ２０−３に格納する（ステップ１０７）。そして、ｎがｎ＞１か否かチェックし（ステップ１０８）、最初はｎ＝１であるのでステップ１０８のＮＯに応じてステップ１０３へ戻る。ｎがｎ＞１となれば（ステップ１０８のＹＥＳ）、今回の指紋画像Ｇｎの照度Ｓｎと前回の指紋画像Ｇｎ-1の照度Ｓｎ-1との差と所定値とを比較し（ステップ１０９）、Ｓｎ−Ｓｎ-1＜所定値となるまでステップ１０３以降の動作を繰り返す。
【００２０】
入力指紋画像の照度Ｓが図４に示すような曲線を描いて変化するものとすれば、照度Ｓが閾値Ｓｔｈを越えた時点から入力指紋画像Ｇと照度Ｓが繰り返し読み込まれ、ＲＡＭ２０−３に格納されて行く。指紋画像Ｇと照度Ｓの読み込みは一定時間毎に行われるが、これはハードウェアの処理に要する時間（≒０．０２秒）に等しい。ここで、ｎ＝６となった時にＳｎ−Ｓｎ-1＜所定値になったとすると、図５に示すように、ＲＡＭ２０−３中には指紋画像Ｇ１〜Ｇ６とこの指紋画像Ｇ１〜Ｇ６の照度Ｓ１〜Ｓ６がセットにして格納される。なお、本実施の形態において、指紋画像のメモリへの保存を開始するための閾値Ｓｔｈは、図１３に示された従来の閾値Ｓｔｈよりも低めに設定している。
【００２１】
制御部２０−１は、Ｓｎ−Ｓｎ-1＜所定値となると（ステップ１０９のＹＥＳ）、ｉ＝１としたうえ（ステップ１１０）、ｉ＜ｎか否かをチェックする（ステップ１１１）。ここでは、ｎ＝６となった時にＳｎ−Ｓｎ-1＜所定値となり、ステップ１１１に至ったものとして説明を進める。この場合、ステップ１１１ではｉ＝１，ｎ＝６でｉ＜ｎであるので、ステップ１１２へ進み、ｍ＝ｉ＋１＝２とする。そして、続くステップ１１３で、ｍ≦ｎをチェックする。この場合、ｍ＝２，ｎ＝６であるので、ステップ１１３のＹＥＳに応じてステップ１１４へ進む。
【００２２】
ステップ１１４ではＧｉとＧｍすなわちＲＡＭ２０−３中に格納されている入力指紋画像Ｇ１とＧ２とを照合する。そして、その照合スコアＳｃ（ｉ，ｍ）すなわち照合スコアＳｃ（１，２）を求め（ステップ１１５）、ｍ＝ｍ＋１として（ステップ１１６）、ステップ１１３へ戻る。求めた照合スコアＳｃ（ｉ，ｍ）はＲＡＭ２０−３中に格納する。ステップ１１３において、ｍ≧ｎとなれば、すなわちステップ１１４においてＧ１とＧ３、Ｇ１とＧ４、Ｇ１とＧ５、Ｇ１とＧ６との照合が次々に行われ、その照合スコアＳｃ（１，３）、Ｓｃ（１，４）、Ｓｃ（１，５）、Ｓｃ（１，６）が求まれば、ｉ＝ｉ＋１すなわちｉ＝２として（ステップ１１７）、ステップ１１１へ戻る。
【００２３】
以下、同様にして、ステップ１１２以降の動作を繰り返し、入力指紋画像Ｇ２とＧ３〜Ｇ６との照合スコアＳｃ（２，３），Ｓｃ（２，４），Ｓｃ（２，５），Ｓｃ（２，６）、入力指紋画像Ｇ３とＧ４〜Ｇ６との照合スコアＳｃ（３，４），Ｓｃ（３，５），Ｓｃ（３，６）、入力指紋画像Ｇ４とＧ５〜Ｇ６との照合スコアＳｃ（４，５），Ｓｃ（４，６）、入力指紋画像Ｇ５とＧ６との照合スコアＳｃ（５，６）を求め、ＲＡＭ２０−３中に格納する。
【００２４】
ステップ１１７においてｉ＝７とされれば、ステップ１１１でのＮＯに応じてステップ１１８へ進んでＸ＝１としたうえ、Ｘ＜ｎをチェックする（ステップ１１９）。この場合、Ｘ＝１，ｎ＝６であるので、ステップ１２０へ進み、ＧＸすなわち入力指紋画像Ｇ１に関する照合スコア平均Ａ１を求める。照合スコア平均Ａ１はＡ１＝｛Ｓｃ（１，２）＋Ｓｃ（１，３）＋Ｓｃ（１，４）＋Ｓｃ（１，５）＋Ｓｃ（１，６）｝／５として求める。そして、Ｘ＝Ｘ＋１すなわちＸ＝２としてステップ１１９へ戻り、Ｘ＜ｎのＹＥＳに応じてステップ１２０へ至り、入力指紋画像Ｇ２に関する照合スコア平均Ａ２を求める。以下、同様にして、入力指紋画像Ｇ３，Ｇ４，Ｇ５，Ｇ６に関する照合スコア平均Ａ３，Ａ４，Ａ５，Ａ６を求める。
【００２５】
図６に６つの入力指紋画像Ｇ１，Ｇ２，Ｇ３，Ｇ４，Ｇ５，Ｇ６全ての組み合わせの照合スコアを示す。照合スコア平均Ａ２はＡ２＝｛Ｓｃ（２，１）＋Ｓｃ（２，３）＋Ｓｃ（２，４）＋Ｓｃ（２，５）＋Ｓｃ（２，６）｝／５で求められるが、Ｓｃ（２，１）とＳｃ（１，２）とは等しく、Ａ２＝｛Ｓｃ（１，２）＋Ｓｃ（２，３）＋Ｓｃ（２，４）＋Ｓｃ（２，５）＋Ｓｃ（２，６）｝／５で求めることができる。照合スコア平均Ａ３，Ａ４，Ａ５，Ａ６も同様にして、ステップ１１５で算出した照合スコアより求めることができる。
【００２６】
ステップ１２１においてＸ＝７とされれば、すなわち照合スコア平均Ａ１〜ＡＡ６が求められれば、ステップ１１９のＮＯに応じてステップ１２２へ進む。ステップ１２２では、ＲＡＭ２０−３中に格納されている入力指紋画像（登録候補指紋画像）Ｇ１〜Ｇ６のうち、照合スコア平均が最大のものを登録指紋画像ＧＲとして確定し、フラッシュメモリ２０−４に格納する。
【００２７】
従来の方法では、図４に示されるように、照度ＳがＳ２のときの指紋画像が登録指紋画像として取り込まれてしまうが、本実施の形態では、最適な指紋画像を含んだ複数の指紋画像を記憶し、この複数の指紋画像の中から最適な指紋画像を登録指紋画像として確定しているので、従来のように最適な指紋画像を取り逃がすことがなく、照合精度をいっそう向上させることが可能となる。
【００２８】
なお、上述した実施の形態では、各指紋画像に関する照合スコア平均に基づいて登録指紋画像を確定しているが、これらに限られるものではなく、例えば、各指紋画像の照度・面積・それらの時間差分等を算出し、それらを総合的に判断して登録指紋画像を確定するようにしてもよい。
【００２９】
〔指紋の照合〕
この指紋照合装置において利用者の指紋の照合は次のようにして行われる。運用中、利用者は、エンターキー１０−３３を押したうえ（図７に示すステップ２０１）、指紋入力部１０−３のプリズム面１０−３２の上に指を置く。以下、ステップ２０１〜２０９までの動作は、図１に示した登録時のステップ１０１〜１０９までの動作と同じであるので、その説明は省略する。このステップ２０１〜２０９により、入力指紋画像の照度Ｓが図８に示すような曲線を描いて変化するものとすれば、照度Ｓが閾値Ｓｔｈを越えた時点からの入力指紋画像Ｇと照度Ｓが繰り返し読み込まれ、ＲＡＭ２０−３に格納されて行く。
【００３０】
制御部２０−１は、Ｓｎ−Ｓｎ-1＜所定値となると（ステップ２０９のＹＥＳ）、ｉ＝ｎとしたうえ（ステップ２１０）、ｉ≧１か否かをチェックする（ステップ２１１）。ここでは、ｎ＝６となった時にＳｎ−Ｓｎ-1＜所定値となり、ステップ２１１に至ったものとして説明を進める。この場合、ステップ２１１ではｉ＝６でｉ≧１であるので、ステップ２１２へ進む。このステップ２１２において、制御部２０−１は、ＧｉとＧＲすなわち入力指紋画像Ｇ６と登録指紋画像ＧＲとを画像処理・照合部２０−６において照合させる。この照合の結果、照合ＯＫであれば（ステップ２１３のＹＥＳ）、解錠許可信号を出力する（ステップ２１４）。照合ＮＧであれば（ステップ２１３のＮＯ）、ｉ＝ｉ−１すなわちｉ＝５としたうえ（ステップ２１５）、ステップ２１１へ戻る。
【００３１】
以下、ステップ２１１においてｉ＜１となるまで、ステップ２１２以降の動作を繰り返す。これにより、入力指紋画像Ｇ５と登録指紋画像ＧＲ、入力指紋画像Ｇ４と登録指紋画像ＧＲというようにして、ＲＡＭ２０−３中に格納されている入力指紋画像（照合候補指紋画像）が１つずつ取り出され登録指紋画像ＧＲと照合される。ステップ２１１においてｉ＜１となれば、すなわちＲＡＭ２０−３中に格納されている照合候補指紋画像Ｇ１〜Ｇ６の全てが照合ＮＧであれば、ステップ２１６へ進んでＮＧ表示を行う。
【００３２】
従来の方法では、図８に示されるように、照度ＳがＳ３のときの指紋画像が照合指紋画像とされてしまうが、本実施の形態では、最適な指紋画像を含んだ複数の指紋画像を記憶し、この複数の指紋画像の中から１つずつ取り出して登録指紋画像と照合して行くので、従来のように最適な指紋画像を取り逃がすことがなく、照合精度をいっそう向上させることが可能となる。
【００３３】
なお、上述した実施の形態では、ＲＡＭ２０−３中に格納された照合候補指紋画像Ｇ１〜Ｇｎを最後のものから順に取り出して登録指紋画像ＧＲと照合するようにしているが、ＲＡＭ２０−３中の照合候補指紋画像Ｇ１〜Ｇｎをその画像評価パラメータである照度Ｓ１〜Ｓｎの大きさによりグループ化し、登録指紋画像ＧＲの照度ＳＲが属するグループを第１候補とし、この第１候補から１つずつ照合候補指紋画像を取り出して登録指紋データＧＲと照合するようにしてもよい。このようにすることによって、照合スピードがアップする。照合の結果、第１候補中の照合候補指紋画像が登録指紋画像ＧＲと一致しなければ、残るグループの１つを第２候補とし、この第２候補から１つずつ照合候補指紋画像を取り出して登録指紋画像ＧＲと照合して行く。以下、同様にして、第３候補、第４候補・・・・と照合を進めて行く。
【００３４】
また、例えば、照合候補指紋画像がＧ１〜Ｇ６の場合、Ｇ５→Ｇ４→Ｇ６→Ｇ３→Ｇ２→Ｇ１というような照合順序で照合して行くようにしてもよい。すなわち、最初に、「潰れや歪みが生じる一歩手前と思われる画像」から始め、ＮＧだったら次に両隣の画像、それでもＮＧだったら残ったものを、というように照合を行ってもよい。
【００３５】
また、上述した実施の形態では、ＲＡＭ２０−３中に格納された登録候補指紋画像Ｇ１〜Ｇｎのうち照合スコア平均が最大のものを登録指紋画像ＧＲとして確定するようにしたが、例えば照合スコア平均の上位３つの登録候補指紋画像を登録指紋画像ＧＲ１，ＧＲ２，ＧＲ３として確定するようにしてもよい。この場合、図９に示すフローチャートに従って、指紋照合を行う。
【００３６】
エンターキーを押し（ステップ３０１のＹＥＳ）、指を指紋入力部のプリズム面に置くと、制御装置２０−１は、このときの指紋画像を読み込み（ステップ３０２）、その指紋画像の照度Ｓを算出する（ステップ３０３）。そして、この算出した照度Ｓと予め定められている閾値Ｓｔｈとを比較し（ステップ３０４）、Ｓ＞Ｓｔｈであればこのときの入力指紋画像を照合指紋画像ＧＳとしてＲＡＭ２０−３中に保存する（ステップ３０５）。本実施の形態において、ステップ３０４での閾値Ｓｔｈは、登録指紋画像ＧＲ１，ＧＲ２，ＧＲ３の照度ＳＲ１，ＳＲ２，ＳＲ３の平均として設定する。これにより、ＲＡＭ２０−３中には、登録指紋画像ＧＲ１，ＧＲ２，ＧＲ３と照度の近い指紋画像が照合指紋画像ＧＳとして保存されるものとなる。
【００３７】
次に、制御装置２０−１は、ｉ＝１としたうえ（ステップ３０６）、ｉ≦３か否かをチェックする（ステップ３０７）。この場合、ｉ≦３であるので、ステップ３０７のＹＥＳに応じてステップ３０８へ進み、ＲＡＭ２０−３中の照合指紋画像ＧＳと登録指紋画像ＧＲｉすなわちＧＲ１とを画像処理・照合部２０−６において照合させ、照合ＯＫであれば（ステップ３０９のＹＥＳ）、解錠許可信号を出力する（ステップ３１０）。照合ＮＧであれば（ステップ３０９のＮＯ）、ｉ＝ｉ＋１すなわちｉ＝２としたうえ（ステップ３１１）、ステップ３０７へ戻る。
【００３８】
以下、ステップ３０７においてｉ＞３となるまで、ステップ３０８以降の動作を繰り返す。これにより、照合指紋画像ＧＳと登録指紋画像ＧＲ２との照合、照合指紋画像ＧＳと登録指紋画像ＧＲ３との照合が行われ、照合ＯＫとなればその時点で解錠許可出力信号が出力されるが（ステップ３１０）、登録指紋画像ＧＲ１，ＧＲ２，ＧＲ３と照合指紋画像ＧＳとの照合結果が全て照合ＮＧであれば、ステップ３１２へ進んでＮＧ表示が行われる。
【００３９】
【発明の効果】
以上説明したことから明らかなように本発明によれば、時系列で繰り返し読み込まれる複数の指紋データが照合候補指紋データとして記憶され、それぞれの照合候補指紋データについて所定の規則に基づいて照合順序が定められ、定められた照合順序に従って順次照合候補指紋データが取り出されて登録指紋データと照合されるものとなる。この発明によれば、複数の照合候補指紋データのうち、最も登録指紋画像に近いものから順に登録指紋画像との照合が行われる確率を高くすることが可能であり、これにより照合回数を減らし、照合スピードをアップすることができるようになる。
【図面の簡単な説明】
【図１】  本発明に係る指紋照合装置における指紋画像の登録処理の一例を示すフローチャートである。
【図２】  本発明の一実施の形態を示す指紋照合装置のブロック図である。
【図３】  この指紋照合装置の外観斜視図である。
【図４】  入力指紋画像の時系列変化（登録時）を示す図である。
【図５】  指紋画像Ｇ１〜Ｇ６とこの指紋画像Ｇ１〜Ｇ６の照度Ｓ１〜Ｓ６をセットにしてのＲＡＭへの格納状況を示す図である。
【図６】  指紋画像Ｇ１，Ｇ２，Ｇ３，Ｇ４，Ｇ５，Ｇ６全ての組み合わせの照合スコアを示す図である。
【図７】  この指紋照合装置における指紋画像の照合処理の一例を示すフローチャートである。
【図８】  入力指紋画像の時系列変化（照合時）を示す図である。
【図９】  照合スコア平均の上位３つの登録候補指紋画像を登録指紋画像として確定した場合の指紋照合処理の一例を示すフローチャートである。
【図１０】  従来の指紋照合装置における指紋画像の登録処理の一例を示すフローチャートである。
【図１１】  指をプリズム面に置いてからの入力指紋画像の照度Ｓの時間変化を示す図である。
【図１２】  従来の指紋照合装置における指紋画像の照合処理の一例を示すフローチャートである。
【図１３】  入力指紋画像の時系列変化（登録時）を示す図である。
【図１４】  入力指紋画像の時系列変化（照合時）を示す図である。
【符号の説明】
１０…操作部、１０−１…番号入力部、１０−２…表示部、１０−３…指紋入力部、１０−３１…ガイド、１０−３２…プリズム面、１０−３３…エンターキー、１０−４…蓋、２０…コントロール部、２０−１…制御部、２０−２…プログラム記憶部（ＲＯＭ）、２０−３…作業用一時記憶部（ＲＡＭ）、２０−４…登録指紋画像記憶部（フラッシュメモリ）、２０−５…出力部、２０−６…画像処理・照合部（ＡＳＩＣ）、２０−７…画像一時記憶部（フレームメモリ）。
【図１】
0003706292.tif 000002
【図２】
0003706292.tif 000003
【図３】
0003706292.tif 000004
【図４】
0003706292.tif 000005
【図５】
0003706292.tif 000006
【図６】
0003706292.tif 000007
【図７】
0003706292.tif 000008
【図８】
0003706292.tif 000009
【図９】
0003706292.tif 000010
【図１０】
0003706292.tif 000011
【図１１】
0003706292.tif 000012
【図１２】
0003706292.tif 000013
【図１３】
0003706292.tif 000014
【図１４】
0003706292.tif 000015